(57)【要約】本発明は、光ディスクシステムにおいて光ディスクへの信号の書き込みを制御する装置と方法を提供し、この装置と方法は、レーザソースからの出力信号を動的に調整するためにフィードバック信号を発生するステップを含み、ディスクから反射した信号から生じるＲＦ信号からデータサンプルを選択するための複数のサンプリングウィンドウを決定する複数のタイミング信号を発生するステップと、所要のランレングスのランドあるいはピットにおける光反射の測定を可能にする複数のランレングス選択信号を発生するステップと、処理手段内でランレングスのランドあるいはピットで反射される光を測定するステップと、測定された信号を前記信号ソースの調整のために前記フィードバック信号として使用するステップとを含む。【選択図】図１
2007518210.tif 000002
【特許請求の範囲】
【請求項１】
光ディスクへの信号の書き込みを制御する方法において、
前記信号のソースを動的に調整するためのフィードバック信号を発生するステップを含み、
さらに、前記ディスクから反射された前記信号から生じるＲＦ信号からデータサンプルを選択する複数のサンプリングウィンドウを決定する働きをする複数のタイミング信号を発生するステップと、
所要のランレングスのランドあるいはピットにおける光反射の測定を可能にする複数のランレングス選択信号を発生するステップと、
処理手段内でランレングスのランドあるいはピットで反射される光を測定するステップと、
前記測定した信号を前記信号ソースの調整のための前記フィードバック信号として使用するステップと、
を具える方法。
【請求項２】
前記サンプリングウィンドウの幅および／または位置がプログラム制御可能であることを特徴とする請求項１記載の方法。
【請求項３】
前記ＲＦ信号は、前記ランレングス信号がハイのときに選択されることを特徴とする請求項１または２記載の方法。
【請求項４】
前記ランレングス選択ウィンドウが、現在および次のランレングスのランドあるいはピットを具えることを特徴する請求項１、２または３記載の方法。
【請求項５】
前記ランレングス選択ウィンドウが、前および現在のランレングスのランドあるいはピットを具えることを特徴する請求項１、２または３記載の方法。
【請求項６】
前記ＲＦ信号の前記サンプリングレートが、システムチャネルクロックの周波数に少なくとも等しいことを特徴とする請求項１−５のいずれかに記載の方法。
【請求項７】
前記ＲＦサンプル信号が、サンプルエンジン内で前記タイミング信号によって選択されることを特徴とする請求項１−６のいずれかに記載の方法。
【請求項８】
前記サンプル信号をローパスフィルタ処理するステップを含むことを特徴とする請求項１−７のいずれかに記載の方法。
【請求項９】
前記ローパスサンプル信号に基づいて傾きとオフセット値を計算するステップを含むことを特徴とする請求項８記載の方法。
【請求項１０】
前記フィードバック信号が、ＤＶＤ書き込み可能デバイスと関連する書き込みストラテジを微調整するように構成したことを特徴とする請求項１−９のいずれかに記載の方法。
【請求項１１】
閾値を用いて前記サンプル信号のどれが前記測定を開始するのかを決定するステップを含むことを特徴とする請求項１−１０のいずれかに記載の方法。
【請求項１２】
前記選択された閾値を調整できることを特徴とする請求項１１記載の方法。
【請求項１３】
前記フィードバック信号が、光ディスク書き込み装置のレーザ出力パワーを微調整するように構成したことを特徴とする請求項１−１２のいずれかに記載の方法。
【請求項１４】
光ディスクへの信号の書き込みを制御するよう構成された書き込み信号制御装置において、
前記信号のソースを動的に調整するためにフィードバック信号を発生するための手段と、
複数のサンプリングウィンドウを決定する働きをする複数のタイミング信号を発生されるための手段と、
前記ディスクから反射される信号から生じるＲＦ信号に対するデータサンプルを選択するための手段と、
ランレングスのランドあるいはピットにおける前記反射信号の測定を可能にする複数のランレング選択信号を発生するための手段と、
前記ランレングスのランドあるいはピットにおける前記反射信号を測定するための処理手段とを具え、
前記測定した信号を、前記信号ソースを調整するための前記フィードバック信号として使用することを特徴とする装置。
【請求項１５】
前記サンプリングウィンドウの前記幅および／または位置が、プログラム制御制御可能であることを特徴とする請求項１４記載の装置。
【請求項１６】
前記ＲＦアナログデジタル変換器からの信号は、前記ランレングス信号がハイのときに選択されるように構成されることを特徴とする請求項１４または１５記載の装置。
【請求項１７】
前記ランレングス選択ウィンドウが、現在および次のランレングスのランドあるいはピットを具えることを特徴する請求項１４、１５または１６に記載の装置。
【請求項１８】
前記ランレングス選択ウィンドウが、前および現在のランレングスのランドあるいはピットを具えることを特徴する請求項１４、１５または１６に記載の装置。
【請求項１９】
前記ＲＦ信号の前記サンプリングレートが、システムチャネルクロックの周波数に少なくとも等しいことを特徴とする請求項１４−１８のいずれかに記載の装置。
【請求項２０】
サンプルエンジンを含み、このサンプルエンジン内で前記ＲＦサンプリング信号が前記タイミング信号によって選択されることを特徴とする請求項１４−１９のいずれかに記載の装置。
【請求項２１】
前記サンプル信号をローパスフィルタ処理するように構成されたローパスフィルタ手段を含むことを特徴とする請求項１４−２０のいずれかに記載の装置。
【請求項２２】
前記ローパスサンプル信号に基づいて傾きとオフセット値を計算する手段を含むことを特徴とする請求項２１記載の装置。
【請求項２３】
前記サンプル信号のどれが前記測定に使用されるのかを決定する閾値を選定する手段を含むことを特徴とする請求項１４−２２のいずれかに記載の装置。
【請求項２４】
前記選定された閾値を調整できることを特徴とする請求項２３記載の装置。
【発明の詳細な説明】
【技術分野】
【０００１】
本発明は、特に光ディスクシステムで使用する書き込み信号の制御方法および装置に関するものである。
【背景技術】
【０００２】
光ディスク技術は、初期のＣＤフォーマットから、レーザ技術に基づくより正確で容易に制御できる光書き込み装置を必要とする最近のＤＶＤフォーマットへと発展してきた。
【０００３】
レーザ光源の制御をさらに向上させるために、書き込み可能および／または書き換え可能光ディスクの記録中に、レーザパワーを動的に調整するためにフィードバック信号を発生させることが知られている。このようなフィードバックは、ディスク表面の、例えば、指紋、しみ、および／または傷から生じるディスク表面の光学特性の局所的変異にかかわらず、記録信号の品質を高める働きをする。このようなフィードバック信号の使用によって、書き込み品質を比較的一定の水準に維持することができる。
【０００４】
このような既知のシステムでは、フィードバック信号は、一般に、色素媒体を具えるディスクに対してはＲＦ信号（高周波信号）の吸収領域の測定に基づいて、また相変化媒体を具えるディスクに対しては書き込みパルス間でサンプリングされるＲＦ信号の吸収領域の測定に基づいて算出している。
【０００５】
フィードバック信号は、吸収領域を測定しようとするときの反射信号に対して、あるいは、ディスクから戻る反射測定値を示す信号から得られるレーザパワー信号に対して正規化することができる。
【０００６】
このような既知のフィードバック構成は、ＣＤの書き込み可能および書き換え可能技術を使用する光ディスクに関して有利であることが証明されているが、フィードバック信号を得るのに必要とされるアナログベースの測定は、ＤＶＤの書き込み可能および書き換え可能技術に対応せず、特に、ＤＶＤ媒体への書き込み時に使用される新しい書き込みストラテジに対応しない。
【発明の開示】
【発明が解決しようとする課題】
【０００７】
本発明は、上述したような既知の方法および装置より優れた効果を有する、光ディスクシステム用の書き込み信号制御方法および装置を提供することにある。
【課題を解決するための手段】
【０００８】
本発明の第１の様態によれば、光ディスクへの信号の書き込みを制御する方法を提供し、この方法は、前記信号の信号ソースを動的に調整するためのフィードバック信号を発生するステップを含み、さらに、ディスクから反射される信号から生ずるＲＦ信号からデータサンプルを選択するための複数のサンプリングウィンドウを決定する働きをする複数のタイミング信号を発生するステップと、所要のランレングスのランドあるいはピットにおける光反射の測定を可能にする複数のランレングス選択信号を発生するステップと、処理手段内にて前記ランレングスのランドあるいはピットで反射された光を測定するステップと、測定された信号を信号ソースの前記調整のために前記フィードバック信号として使用するステップとを具えることを特徴とする。
【０００９】
特に、サンプリングウィンドウの幅および／または位置はプログラム制御でき、前記ＲＦ信号はランレングス信号がハイのときに選択されるように構成する。
【００１０】
前記ＲＦ信号のサンプリングレートは、システムチャネルクロックの周波数に少なくとも等しくするのが有利であり、ＲＦサンプル信号は、サンプルエンジン内でタイミング信号を用いて選択することができる。
【００１１】
サンプル信号のローパスフィルタ処理を導入するのが好ましく、傾きとオフセット値をローパスサンプル信号に基づいて計算することができる。
【００１２】
本発明の方法は、前記フィードバック信号をＤＶＤ書き込み可能デバイスと関連する書き込みストラテジを微調整するために有利に使用することができる。
【００１３】
特に、閾値によりどのサンプル信号が前記測定を開始するかを決定することもできる。
【００１４】
本発明の別の様態によれば、光ディスクへのデータの書き込みを制御するよう構成された書き込み信号制御装置を提供し、この装置は、前記信号の信号ソースを動的に調整するためにフィードバック信号を発生するための手段と、複数のサンプリングウィンドウを決定する働きをする複数のタイミング信号を発生するための手段と、ディスクから反射される信号から生じるＲＦ信号からデータサンプルを選択するための手段と、ランレングスのランドあるいはピットにおける反射の測定を可能にする複数のランレング選択信号を発生するための手段と、前記ランレングスのランドあるいはピットで反射された信号を測定する処理手段とを具え、測定された信号を前記信号ソースの調整のためのフィードバック信号として使用することを特徴とする。
【００１５】
この装置にも、本発明の方法に関連して上述した有利な他の特徴を提供するための手段を有利に含めることができる。
【発明を実施するための最良の形態】
【００１６】
以下に、単なる一例として添付図面を参照して本発明を説明する。
【００１７】
以下で説明するように、本発明は、既知のフィードバック信号処理方法と同一の機能を提供でき、さらに、ＤＶＤ書き込み可能および書き換え可能媒体における高速記録のための書き込みストラテジを動的に微調整するとともに、ディスクへの記録中のレーザ光源パワーも動的に微調整するさらなる機能を有利に提供できるディジタル信号処理方法を有利に提供するものである。
【００１８】
マルチパルス変調書き込みストラテジの使用によって生じる、ＤＶＤ書き込み可能および書き換え可能仕様によるディスクへの信号書き込み時のパフォーマンスの向上の可能性は、このような書き込みおよび書き換え処理が記録のために８−１４変調（ＥＦＭ＋）を使用することに依存し、本発明は、ディスクの色素層の温度の測定に基づいてフィードバック信号を発生するように構成するのが有利である。
【００１９】
本発明を具体化する構成の特に重要な様態は、以下のとおりである。
【００２０】
複数のタイミング信号を発生させてウィンドウを決定し、これらのウィンドウを使用して、光書き込み装置内のＲＦアナログ−デジタル変換器から生じる信号からデータサンプルを選択する。
【００２１】
このシグナリングは、タイミング信号がハイのときデータサンプルが選択されるように構成し、実際のレーザパワー出力信号に対する各サンプリングウィンドウの幅およびサンプリングウィンドウの位置をプログラム制御可能とするのが有利である。このようなタイミング信号の例を図１に示す。
【００２２】
ここで、図１を参照すると、波形１０はＥＦＭ＋チャネルクロックを、波形１２は書き込み信号を表し、波形１４はディスクのランドとピットに従うレーザ光出力信号を示す。
【００２３】
波形１６Ａ−１６Ｄは、上述したサンプリングウィンドウの４つを表し、上述したタイミング信号によって決定される。
【００２４】
上述したように、サンプリングウィンドウはプログラム可能であり、種々の構成が異なる波形１６Ａ、１６Ｂ、１６Ｃおよび１６Ｄで示されている。
【００２５】
複数のランレングス選択信号を発生して設計ランレングスのランドまたはピットにおける反射の程度の測定を可能にする。このようなランレングス選択信号１８Ａ−１８Ｂの例は、同様に図１に示されている。ランレングス選択信号１８Ａあるいは１８Ｂが「ハイ」のとき、ＲＦアナログ−デジタル変換器から得られるサンプルが選択される。
【００２６】
信号１８Ａおよび１８Ｂ上に矢印で示されるように、ランレングス選択によって決定されるウィンドウは、現在および次のランレングスのランドかピット、あるいは、前および現在のランレングスのランドかピットを具えることができる。
【００２７】
ランレングス選択信号は、（Ｎ，＞Ｎ）として表現できるので、ＤＶＤシステムのために選択すべきランレングスは、Ｎ，Ｎ＋１，・・・１４が可能になる。
【００２８】
光ドライバ内のＲＦアナログ−デジタル変換器のサンプリングレートは、波形１０で示すチャネルクロックの周波数と同じくらい低くすることができるものと理解されたい。
【００２９】
ＣＤ書き込み可能色素デバイスへの書き込みのために発生する信号２０とＤＶＤ書き込み可能色素デバイスへの書き込みのために発生する信号との相違も図１に示めされている。図に示されているように、ＤＶＤ書き込みストラテジに従って生じる信号の波形は記録マークが先頭パルスと一連の複数のパルス２２に分割される。
【００３０】
さらに、ＣＤ書き込み可能および書き換え可能ディスクのような色素媒体のための書き込みストラテジと比較して、ＤＶＤ書き込み可能および書き換え可能媒体に使用される書き込みストラテジの特有の差異を考慮して、ウィンドウ決定タイミング信号１６Ａ−１６Ｄとランレングス選択信号１８Ａと１８Ｂに加えて、パルス波形２２に関連して示す閾値２６を用いて、ＲＦアナログ−デジタル変換器から適切なサンプルを選択することができる。
【００３１】
所要の吸収測定のために、ＲＦアナログ−デジタル変換器からのサンプル信号は、サンプルの振幅が閾値よりも大きいときのみ選択される。無論、閾値のレベルは、ディジタル信号処理内、あるいは、ハードウェア手段内で、必要に応じて、低速度で、動的に調整できる。
【００３２】
書き込み信号２０，２２のいずれかから生じるＲＦ ＰＣ信号２４も図１にこれらの書き込み信号に関連して示されている。
【００３３】
前述したように、測定は色素の温度に基づくものとすることができ、これは、色素材料の温度が光に対する周波数応答を変化するからである。固定周波数の既知のパワーの光に対して、温度の変化は反射率の変化として表される。この反射率は、例えば波形１６Ｃによってサンプルし、ピット形成後に色素がどのくらい熱いのかを測定することができる。この変化は比較的小さいので、多数のサンプルについて平均化し、温度が低くなった場合の波形１６Ｄからのサンプルと比較できる。次に、この情報を長短両方のマークについて考慮し、この情報から色素の温度を測定できる。次に、この情報をいわゆる「熱平衡書き込みストラテジ（thermally balanced write strategy）」に使用して、１つのマークの温度効果をその近傍の書込みに考慮することができる。このことは、高速書き込みにとっては特に重要である。
【００３４】
図２につき説明すると、図２には、本発明の実施例に従って使用される信号処理装置２８をブロック図で示す。処理装置への入力信号３０は、サンプルエンジン（図示せず）においてタイミング信号１６Ａ−１６Ｄによって有効に選択されるＲＦサンプルを具える。
【００３５】
図２に示す処理装置の一部は、フィードバック信号加速ブロックを具え、このフィードバック信号加速ブロックは、サンプルビニングエンジン（図示せず）から、それぞれの選択されたビニングサンプルＲＦ信号の各々を受信するためにローパスフィルタ３２、３４、３６、３８を含む。
【００３６】
ローパス信号は、次に、ディジタル信号プロセッサあるいはデジタルハードウェア４０のような処理装置に送出され、この処理装置は、さらに以下で説明するように、スロープ信号とオフセット信号を計算する働きをする。
【００３７】
ローパス信号は選択ユニット４２にもまた送出され、この選択ユニットは、ローパス信号の１つを選択し、前述のスロープ信号４６を受信するように配置された乗算器４４へ送出し、乗算器から生じる信号は、デジタル信号プロセッサ／デジタルハードウェアユニット４０からの前述のオフセット信号５０を受信するように配置される加算器４８に出力される。加算器４８から結果として生じる信号はフィードバック信号５２を構成し、このフィードバック信号は、本発明に従って、書き込みユニットのレーザ光源に対するフィードバック制御を提供するために使用され、特に、ＤＶＤ書き込み可能および書き換え可能ディスクと関連して、ディスクの特性における局所的変異に関係なく一定の書き込み品質を達成するようにする。
【００３８】
それゆえ、ＤＶＤディスクへの書き込み時に使用される書き込みストラテジおよび／またはレーザパワーが有利に動的に微調整される。
【図面の簡単な説明】
【００３９】
【図１】本発明の一実施例における、書き込み信号とフィードバック信号を発生させるための信号との関係を示すタイミング図である。
【図２】本発明に従ってフィードバック信号を発生させる信号処理装置の一実施例を示すブロック図である。
【図１】
2007518210.tif 000003
【図２】
2007518210.tif 000004
【国際調査報告】
2007518210.tif 000005
2007518210.tif 000006
2007518210.tif 000007